(57)【要約】【課題】水や肥料の管理等のメンテナンスが行いやすく、また、壁面緑化装置を組立容易な構成とすることで、緑化パネル等の壁面緑化装置の部品の持ち運びが容易に行える壁面緑化装置を提供する。【解決手段】建物１の外壁面１２に取り付けられる緑化パネル２と、該緑化パネル２に供給する水を貯蔵する給水タンク５と、該給水タンク５の水を緑化パネル２に供給する給水装置４と、該給水装置４から供給された水を緑化パネル２に点滴灌水する灌水管６と、該灌水管６に一定の圧力で給水するための定圧弁３４とを備え、前記緑化パネル２を組み合わせ可能な構成とするとともに、前記緑化パネル２に、複数段の栽培容器２３Ｕを設け、各段の栽培容器２３Ｕの側部に前記灌水管６を挿入する挿入口２１を設けた。【選択図】        図３
2004350528.tif 000002
【特許請求の範囲】
【請求項１】
建物の外壁面に取り付けられる緑化パネルと、該緑化パネルに供給する水を貯蔵する給水タンクと、該給水タンクの水を緑化パネルに供給する給水装置と、該給水装置から供給された水を緑化パネルに点滴灌水する灌水管と、該灌水管に一定の圧力で給水するための定圧弁を備え、前記緑化パネルを連結部材を用いて組み合わせ可能に構成としたことを特徴とする壁面緑化装置。
【請求項２】
前記緑化パネルに、複数段の栽培容器を設け、各段の栽培容器の側部に前記灌水管を挿入する挿入口を設けたことを特徴とする請求項１に記載の壁面緑化装置。
【請求項３】
前記緑化パネルの栽培容器内に、不織布等で構成された培地を収納可能に構成することを特徴とする請求項１に記載の壁面緑化装置。
【請求項４】
前記緑化パネルの外面を半透明に、内面を黒色に構成することを特徴とする請求項１または請求項２に記載の壁面緑化装置。
【発明の詳細な説明】
【０００１】
【発明の属する技術分野】
本発明は、ユニット式の壁面緑化装置の技術に関する。
【０００２】
【従来の技術】
従来から、ビル等の外壁面に、植栽を施して緑化することで、太陽光線の照り返しを暖和する壁面緑化装置の技術は公知となっている（例えば、特許文献１参照）。
従来の壁面緑化装置は、例えば、建物の外壁面に、線状体が縦横に張り渡されているフレームが取り付けられており、該フレームの裏面（建物側）下部には、樋型の栽培容器が取り付けられており、該栽培容器には、つる性植物が植え込まれていた。そして、つる性植物がフレーム全体に生い茂るまで育成した緑化ユニットを壁面に取り付けることで、日差しを遮るようにしていた。
また、前記フレームと外壁との間に給水管を配管して、該給水管から分岐チューブを介して栽培容器に水分等を補給するようにしていた。
【０００３】
【特許文献１】
特開平０６−２２５６４５号公報
【０００４】
【発明が解決しようとする課題】
しかし、従来の壁面緑化装置は、予め造られた緑化パネルを壁面に取り付けているので、組立性が悪く、メンテナンスが行い難いという問題があった。
また、培地として土を使用しているため、培地の交換や、草・花・木などの交換が容易にできず、また、培地の状態を確認することもできず、メンテナンス性が悪いという不具合もあった。また、壁面全体を覆ってしまうため窓から外が見難いとう問題点もあった。
そこで、本発明では、水や肥料の管理等のメンテナンスが行いやすく、また、壁面緑化装置を組立容易な構成とすることで、緑化パネル等の壁面緑化装置の部品の持ち運びが容易に行える壁面緑化装置を提供する。
【０００５】
【課題を解決するための手段】
本発明の解決しようとする課題は以上の如くであり、次にこの課題を解決するための手段を説明する。
【０００６】
即ち、請求項１においては、建物の外壁面に取り付けられる緑化パネルと、該緑化パネルに供給する水を貯蔵する給水タンクと、該給水タンクの水を緑化パネルに供給する給水装置と、該給水装置から供給された水を緑化パネルに点滴灌水する灌水管と、該灌水管に一定の圧力で給水するための定圧弁を備え、前記緑化パネルを連結部材を用いて組み合わせ可能に構成としたものである。
【０００７】
請求項２においては、前記緑化パネルに、複数段の栽培容器を設け、各段の栽培容器の側部に前記灌水管を挿入する挿入口を設けたものである。
【０００８】
請求項３においては、前記緑化パネルの栽培容器内に、不織布等で構成された培地を収納可能に構成するものである。
【０００９】
請求項４においては、前記緑化パネルの外面を半透明に、内面を黒色に構成するものである。
【００１０】
【発明の実施の形態】
次に、発明の実施の形態を説明する。
図１は壁面緑化装置の全体概略構成を示す正面図、図２は同じく側面断面図、図３は緑化ユニットを示す正面図、図４は同じく側面断面図、図５は緑化パネルを示す正面図、図６は同じく側面断面図、図７は給水装置の概略を示す図である。図８は別実施例の緑化ユニットを示す正面図、図９は別実施例の緑化パネルを示す正面図である。
【００１１】
まず、壁面緑化装置の全体構成について説明する。
本発明の壁面緑化装置は、植物の栽培容器を有する緑化パネル２・２・・・、該緑化パネル２・２・・・に供給する水を貯蔵する給水タンク５と、該給水タンク５の水を緑化パネル２・２・・・に供給する給水装置４、該給水装置４から供給された水を緑化パネル２・２・・・に点滴灌水する灌水管６・６・・・、該灌水管６・６・・・に一定の圧力で給水するための定圧弁３４・３４・・・、緑化パネル２・２・・・の水分を検知する検知手段（水分センサー３５）、給水タンク５の供給量を制御する電磁バルブ３６、前記検知手段（水分センサー３５）と電磁バルブ３６を接続する制御手段（コントローラ３７）等で構されている。
【００１２】
図１乃至図４に示すように、建物１の外壁面１２に所望の位置及び個数の緑化パネル２・２・・・を配設している。
本実施例では、建物１の窓枠１１・１１・・・の下方に、各四個の緑化パネル２・２・・・を設けており、上下・左右に二個づつ配置している。
各緑化パネル２・２・・・には、水の挿入口２１・２１・・・が設けられており、該挿入口２１・２１・・・には前記灌水管６・６・・・が接続されており、給水タンク５から給水装置４を介して各緑化パネル２・２・・・に給水している。
該給水装置４は、主供給管４１・４１・・・と分岐管４２・４２・・・で構成されており、該主供給管４１・４１・・・の上端部は、前記給水タンク５に接続されている。該主供給管４１・４１・・・は、各窓枠１１・１１・・・の側方に、上下方向に配置されている。そして、前記分岐管４２が、主供給管４１から分岐しており、分岐管４２を介して灌水管６を各緑化パネル２に接続している。
【００１３】
該緑化パネル２・２・・・は、持ち運び容易な大きさに、また、組み合わせ可能な構成としており、緑化パネル２・２・・・を組み合わせることで所望の大きさの緑化ユニット８を構成している。よって、該緑化ユニット８は、窓枠１１の大きさや建物の壁面の大きさに合わせた大きさに組み合わせることができる。
図３、図４に示すように、本実施例では、緑化パネル２・２・・・四個で、一組の緑化ユニット８として、該緑化ユニット８を窓枠毎に配置している。
四個の緑化パネル２・２・・・は、上下・左右に二個づつ配置されており、緑化パネル２・２・・・同士は、連結部材となるボルト等の固定手段３１・３１・・・と固定プレート３２・３２・・・を用いて上下に連結固定している。但し、左右方向にも連結部材を設けて連結固定することも可能である。
一方、前記分岐管４２は、窓枠１１と緑化ユニット８との間を通り、緑化ユニット８の中央部（左右の緑化パネル２・２の間）を下方に延出して配置している。
そして、分岐管４２から、左右両側に灌水管６・６・・・を取り付けて、灌水管６・６・・・を介して、各緑化パネル２・２・・・に給水している。
また、分岐管４２の上流側には、定圧弁３４が配置されており、定圧弁３４を介して分岐管４２を設けることで、緑化ユニット８の配置高さによる水圧の影響を受けることなく、分岐管４２に送る水の量を一定に保つことができ、安定した灌水を行うことができる。また、本実施例では、水のみを供給しているが、肥料（液肥）や薬剤などを同時に供給してもよい。
尚、一組の緑化ユニットにおける緑化パネルの数等は限定されるものではなく、窓枠の大きさや建物の大きさに合わせて、緑化パネルの個数や配置を変更することもできる。
【００１４】
次に、緑化パネルについて説明する。
図３乃至図７に示すように、前記緑化パネル２の内側には、緑化パネル２・２同士を連結したり、窓枠１１に装着したりするための取付部材２２・２２が配設されている。ここで、緑化パネル２の内側とは、緑化パネル２を建物に取り付ける際、建物に面する側をいい、外側は、その反対をいう。
前記取付部材２２・２２は、左右方向に長い円筒形状に形成されており、緑化パネル２の上端部と下端部に固定して配置されている。
そして、上下に配置した緑化パネル２・２同士を連結するときは、上側の緑化パネル２の下部に設けた取付部材２２の両側のネジ孔と、下側の緑化パネル２の上部に設けた取付部材２２の両側のネジ孔を、固定プレート３２に上下二箇所形成した取付孔３２ａ・３２ａと一致させて、または、取付部材２２の外形と同じ取付孔３２ａ・３２ａを固定プレート３２に設けて、固定部材２２の両側を取付孔３２ａ・３２ａに挿入して、ボルト等の固定手段３１で固定して、緑化パネル２・２同士を連結している。このような構成とすることで、緑化パネルを容易に組み合わせることができる。但し、左右方向を連結するときには、パイプ状または円筒状の連結部材を用いて、固定部材２２の対向する端部同士をパイプ状連結部材で外嵌し、または、円筒部材を固定部材端部内に挿入してピン等で固定する構成とすることもできる。こうして、緑化パネル２を上下方向及び左右方向に並べて連結することが可能となり、所望の広さの壁面を緑化することができる。
【００１５】
また、前記緑化ユニット８は、掛止部材３３を介して窓枠１１に固定されている。
該掛止部材３３は、側面視略Ｓ字状に形成されており、上部は前記窓枠１１下部の外側に掛止可能なかぎ状に形成されており、ネジ等で窓枠に固定するようにしており、下部は前記取付部材２２を掛止可能な形状に形成されている。
そして、緑化ユニット８を窓枠１１に固定する際は、緑化ユニット８の上端に配置している取付部材２２を前記掛止部材３３の下部に取り付けて、該掛止部材３３の上部を窓枠１１に引っ掛けて固定している。または、掛止部材３３・３３を窓枠１１に固定してから、緑化ユニット８の上端の取付部材２２を掛止部材３３の下部に取り付ける。
【００１６】
次に、緑化パネル２の構成について説明する。
緑化パネル２は、前記上・下取付部材２２・２２、植物を栽培する栽培容器２３Ｕ・２３Ｍ・２３Ｄ等で構成されている。
前記緑化パネル２には、複数段の栽培容器が設けられている。
本実施例では、図５、図６に示すように、一個の緑化パネル２に、上下方向に三段の栽培容器２３Ｕ・２３Ｍ・２３Ｄが設けられている。各栽培容器２３Ｕ・２３Ｍ・２３Ｄは、左右方向に長く形成されており、左右幅は緑化パネル２の左右幅より若干短めに形成されている。
【００１７】
各段の栽培容器は同様の構成としているので、上段に配置されている栽培容器２３Ｕについて説明し、中段及び下段の栽培容器２３Ｍ・２３Ｄについては省略する。
前記栽培容器２３Ｕは、側面断面視において五角形状に形成されており、栽培容器２３Ｕの内部に不織布等の培地２６を収納可能に構成している。
該培地２６は、保水性の不織布（ポリビニルアルコール）、バーク等を使用しており、前記栽培容器２３Ｕに充填している。更に、栽培容器２３Ｕに遅効肥料を加えて植物の育成を促進するようにしている。
このように、栽培容器２３Ｕの内部に、不織布等の培地２６を収納可能に構成することで、培地２６の交換や、草・花・木等の植物のメンテナンスを容易に行うことができる。
また、前記緑化パネル２は、外面を半透明に、内面を黒色に構成している。
このように、緑化パネル２を、日があたる外面を半透明にすることで、植物の培地２６の保温が行え、良好な植生環境を確保することができるとともに、内面を黒色にすることで、外部から、栽培容器２３Ｕ内の培地２６の乾燥や湿潤の状態が色別で判断することができ、メンテナンスが容易になる。
【００１８】
該栽培容器２３Ｕの外面上部には、開口部２５・２５・・・が形成されており、該開口部２５・２５・・・は植物が栽培容器内部より外部に向かって育成するように設けられている。該開口部２５・２５・・・は、左右方向に５箇所設けられており、開口部２５・２５・・・毎に植物を配置している。
また、前記栽培容器２３Ｕの一側側面には前記挿入口２１が形成されており、該挿入口２１は、栽培容器２３Ｕの上部に配置されている。
そして、該挿入口２１に前記灌水管６が挿通され、前記分岐管４２から供給される一定量の水を分岐ソケット３９・３９・・・及び灌水管６・６・・・を介して、栽培容器２３Ｕに点滴灌水している。
該灌水管６は、図３に示すように、緑化ユニット８の中央部から、緑化パネル２の栽培容器２３Ｕに嵌入している。該灌水管６は、左右方向に平行に配置されており、栽培容器２３Ｕの途中部まで嵌入している。そして、該灌水管６から、前記培地２６に点滴灌水することで、常に均一な灌水を行っている。
【００１９】
また、図７に示すように、前記栽培容器２３Ｕには培地２６に含まれる水の量を検出する水分センサー３５・３５・・・が設けられており、該水分センサー３５・３５・・・は、電気的にコントローラ３７と接続されており、該水分センサー３５・３５・・・の検出信号がコントローラ３７に送られる。また、該コントローラ３７は、前記給水タンク５の吐水口に設けた電磁バルブ３６と接続し、該電磁バルブ３６を開閉して給水量を制御できるようにしている。前記給水タンク５にはボールタップの弁等を設けて、上水道等と接続し、所定量以下になるとべんを開いて給水し、所定量溜まると弁が閉じるようにして、給水タンク５内には所定量の水が常時溜められるようにしている。
そして、該コントローラ３７は、季節や天候により変化する気温や湿度に応じて変動する培地の水分量や植物が必要とする水量等を考慮してあらかじめ算出された培地の目標水量を記憶しており、前記水分センサー３５・３５・・・の検出信号が表す実測水量が目標水量になるように、電磁バルブ３６に信号を送り、給水タンク５から植物に供給する水量を電磁バルブ３６により調節している。該電磁バルブ３６により調節された水は、フィルタ３８を通って、給水装置４に供給している。
このような構成とすることで、培地２６への給水量を制御することができ、状況に合わせた給水を行うことができる。
【００２０】
次に、緑化パネルの別実施例について説明する。
緑化パネル２は、前記上・下取付部材２２・２２、植物を栽培する栽培容器２３Ｕ・２３Ｍ・２３Ｄ、該栽培容器２３Ｕ・２３Ｍ・２３Ｄ下方に配置されているトイ２８、栽培容器２３Ｕ・２３Ｍ・２３Ｄ間を接続する挿通管２７・２７、栽培容器２３Ｕ・２３Ｍ・２３Ｄ内の水を外部に排出する排出管２９等で構成されている。
図８、図９に示すように、前記栽培容器２３Ｕ・２３Ｍ・２３Ｄが緑化パネル２に形成されている。
本実施例では、一個の緑化パネル２に、上下三段の栽培容器２３Ｕ・２３Ｍ・２３Ｄが配設されている。各栽培容器２３は、左右方向に長く形成されており、左右幅は緑化パネル２の左右幅より若干短めに形成されている。
また、栽培容器２３Ｕ・２３Ｍ・２３Ｄの下方には、トイ２８が形成されている。該トイ２８は、栽培容器２３Ｕ・２３Ｍ・２３Ｄから排出された余分な水を受けるためのものである。
【００２１】
上段に配置している栽培容器２３Ｕの一側端部には、前記挿入口２１が形成されており、該挿入口２１に灌水管６が接続されて、栽培容器２３の内部に水が供給されるようにしている。
上段の栽培容器２３Ｕにおいて、挿入口２１と逆側の端部（緑化ユニット８における端部）下部には、第一の挿通管２７の上端が接続されている。該第一の挿通管２７は、上段の栽培容器２３Ｕに供給された水を、中段の栽培容器２３Ｍ、更に下段の栽培容器２３Ｄに供給するためのもので、該挿通管２７の下端は、中段の栽培容器２３Ｍの上部に接続されている。
また、該中段の栽培容器２３Ｍにおいて、前記第一の挿通管２７と逆側の端部（緑化ユニット８における中央部）下部に、第二の挿通管２７の上端が接続されており、該第二の挿通管２７の下端を下段の栽培容器２３Ｄの上部に接続し、中段の栽培容器２３Ｍに供給された水を、下段の栽培容器２３Ｄに供給している。更に、下段の栽培容器２３Ｄにおいて、前記第二の挿通管２７と逆側の端部（緑化ユニット８における端部）の下部に、余分な水分を栽培容器２３Ｄ外に排出する排出管２９が接続されており、該排出管２９から排出された水は、下段の栽培容器２３Ｄの下方に配置されているトイ２８に流れるようにしている。
このような構成とすることで、図９の二点鎖線の矢印に示すように、挿入口２１から供給された水が流れ、栽培容器全体に水が供給できると共に、余った水は外部に排出することができる。
その他の構成は、前述の実施例と同様の構成としている。
【００２２】
以上のような構成とすることで、緑化パネル２・２・・・を組み合わせて、所望の大きさの緑化ユニット８を構成することができ、一個の緑化パネル２を持ち運び容易な大きさとすることができるとともに、灌水管６・６・・・を緑化パネル２・２・・・に挿通するだけで、水や肥料の管理が行え、メンテナンス性が向上する。
【００２３】
【発明の効果】
本発明は、以上のように構成したので、以下に示すような効果を奏する。
【００２４】
即ち、請求項１に示す如く、建物の外壁面に取り付けられる緑化パネルと、該緑化パネルに供給する水を貯蔵する給水タンクと、該給水タンクの水を緑化パネルに供給する給水装置と、該給水装置から供給された水を緑化パネルに点滴灌水する灌水管と、該灌水管に一定の圧力で給水するための定圧弁を備え、前記緑化パネルを連結部材を用いて組み合わせ可能に構成としたので、
緑化パネルを組み合わせて、所望の大きさの緑化ユニットを構成することができ、一個の緑化パネルを持ち運び容易な大きさとすることができる。
【００２５】
請求項２に示す如く、前記緑化パネルに、複数段の栽培容器を設け、各段の栽培容器の側部に前記灌水管を挿入する挿入口を設けたので、
灌水管を挿入口から緑化パネルに挿通するだけで、水や肥料の管理が行え、メンテナンス性が向上する。
【００２６】
請求項３に示す如く、前記緑化パネルの栽培容器内に、不織布等で構成された培地を収納可能に構成するので、
培地の交換や、草・花・木等の植物のメンテナンスを容易に行うことができる。
【００２７】
請求項４に示す如く、前記緑化パネルの外面を半透明に、内面を黒色に構成するので、
植物の培地の保温が行え、良好な植生環境を確保することができるとともに、内面を黒色にすることで、外部から、栽培容器内の培地の乾燥や湿潤の状態が色別で判断することができ、メンテナンスが容易になる。
【図面の簡単な説明】
【図１】壁面緑化装置の全体概略構成を示す正面図。
【図２】同じく側面断面図。
【図３】緑化ユニットを示す正面図。
【図４】同じく側面断面図。
【図５】緑化パネルを示す正面図。
【図６】同じく側面断面図。
【図７】給水装置の概略を示す図。
【図８】別実施例の緑化ユニットを示す正面図。
【図９】別実施例の緑化パネルを示す正面図。
【符号の説明】
１  建物
２  緑化パネル
４  給水装置
５  給水タンク
６  灌水管
１２  外壁面
２３  栽培容器
２５  開口部
３４  定圧弁
【図１】
2004350528.tif 000003
【図２】
2004350528.tif 000004
【図３】
2004350528.tif 000005
【図４】
2004350528.tif 000006
【図５】
2004350528.tif 000007
【図６】
2004350528.tif 000008
【図７】
2004350528.tif 000009
【図８】
2004350528.tif 000010
【図９】
2004350528.tif 000011